(57)【要約】      （修正有）【課題】フックの開口部を開閉する開閉部材をフック内方に向けて開口する場合に、開閉部材をフック内方の壁内に設けた開閉部材収納用保持溝に嵌合収納することで、フック内部の空間を拡大させて、被係止体のスムースな出し入れを行うことができるフック及びそれを備える吊りボルトを提供する。【解決手段】被係止体を出し入れする開口部Ｓと開口部を開閉する開閉部材４を備えるフックであって、開閉部材は、フック内方に押し込んで開口部を開放するよう、開閉部材の後端部４２を支点にして閉鎖方向に向けばね６の付勢を伴い回動自在に支持されると共に、開閉部材がフック内方に押し込まれるときに対向するフックの内壁面に、開閉部材を嵌合保持する開閉部材収納用保持溝２１ａを設けた。【選択図】図１
0003230008.tif 000002
【実用新案登録請求の範囲】
【請求項１】
被係止体を出し入れする開口部と前記開口部を開閉する開閉部材を備るフックであって、
前記開閉部材は、前記フック内方に押し込んで前記開口部を開放するよう、前記開閉部材の後端部を支点にして閉鎖方向に向けばね付勢を伴い回動自在に支持されると共に、
前記フックの内面壁であって、前記開閉部材が、前記フック内方に押し込まれるときに対向する内壁面に前記開閉部材を嵌合保持する開閉部材収納用保持溝を設けることを特徴とするフック。
【請求項２】
前記開閉部材の先端部は、前記フック内方に向けて傾斜する傾傾斜面を備えると共に、前記開閉部材の先端部と当接する前記フック内壁においても、前記傾傾斜面と符合する傾傾斜面を備え、前記開口部を閉鎖した状態において、前記各傾傾斜面の当接により、前記ばね付勢による閉鎖方向に向けた動きを規制してなることを特徴とする請求項１に記載のフック。
【請求項３】
前記開閉部材の先端部は、前方に向けて突設する突部を備えると共に、前記開閉部材の先端部と当接する前記フック内壁において、前記突部に嵌合する凹部を備え、これらの嵌合により、前記開口部を閉鎖した状態において、前記ばね付勢の閉鎖方向に向いた動きを規制してなると共に、閉鎖状態において前記開閉部材４が横ブレを起こさないように嵌合保持してなることを特徴とする請求項１又は２に記載のフック。
【請求項４】
請求項１乃至３のいずれか一に記載のフックを備えてなることを特徴とする吊りボルト。
【考案の詳細な説明】
【技術分野】
【０００１】
本考案は、例えば、車止め用の支柱や壁面に取付け、車止めのチェーン等を掛ける、開口部とそれを開閉する開閉部材とを有するフック及びそれを備える吊りボルトに関する。
【背景技術】
【０００２】
従来、開口部とそれを開閉する開口部を有するフックとしては、例えば、特許第５９２５３３３号公報（特許文献１）に記載のフックが公知である。前記公報記載のフックは、開口部を有し前記開口部を通じて挿入された物体を引っ掛けるフック本体と、前記フック本体の開口部を閉じる開閉部材（開閉部材）とを備え、前記フック本体は、前記フック本体内に引っ掛けられた前記物体の前方への落下を防止する前受け部を有し、前記開閉部材は、開閉部材付勢手段により前記フック本体の外へ向けて変位するように付勢されると共に前記変位を規制されることにより前記開口部を閉じる一方、前記開閉部材付勢手段の付勢力に抗して前記フック本体内へ押し込まれることにより前記開口部を開口して前記物体の前記フック本体内への挿入を許容するフックであって、前記フック本体は、前記開閉部材付勢手段により付勢された前記開閉部材を上方から係止して前記開閉部材の変位を規制することにより前記開口部を閉じるラッチを有し、前記ラッチは、前記前受け部に前記前受け部の上方及び下方に向けて摺動自在に取り付けられ、ラッチ付勢手段により前記前受け部の上方に向けて変位するように付勢される一方、前記ラッチ付勢手段の付勢力に抗して前記前受け部の下方に変位することにより、前記ラッチ付勢手段により前記開閉部材を係止する開閉部材規制位置に存在するように付勢される一方、前記ラッチ付勢手段の付勢力に抗して前記開閉部材規制位置から変位することにより前記開閉部材の係止を解除して、前記開閉部材が前記開閉部材付勢手段の付勢力により前記フック本体外に変位して前記開口部を開放することを許容し、前記ラッチは、前記開口部へ向かって延びるように設けられたストッパ部を有し、前記ストッパ部の下面は、前記開閉部材の係止部を上方から係止し、前記開閉部材は、前記フック本体外に変位した状態から、前記ラッチに上方から係合して前記ラッチを前記ラッチ付勢手段による付勢力に抗して前記開閉部材規制位置から変位させるように押し下げながら前記フック本体内へ押し込まれた後に解放されることにより、前記開閉部材による押し込みから解放されて前記ラッチ付勢手段により元の開閉部材規制位置に戻ったラッチに下方から係合して係止され、前記開口部を閉じる位置に復帰するように構成し、フック内部のスペースを効果的に活用して多数の物体や大径の物体をする保持することを可能としつつ、ひっかけられた物体の落下を確実に防止することができる一方、ひっかけられた物体を簡易に取り出すことができることとなる。
【先行技術文献】
【特許文献】
【０００３】
【特許文献１】特許第５９２５３３３号公報  第１〜２頁  図２、図５、図６
【考案の概要】
【考案が解決しようとする課題】
【０００４】
しかしながら、前記時従来のフックにおいては、開閉部材をフックの内方に向けて開口する場合は、前記開閉部材の先端等がフックの内壁に当接して、それ以上、開くことができないので、前記開閉部材の開口角度が小さい場合や、前記開閉部材の厚みが大きい場合は、その分だけ前記開閉部材がフック内方に残り、被係止体の出し入れに引っ掛かり、そのため、被係止体スムースにフック内に出し入れできない場合が生じる。また、大径の被係止体をフックに引っ掛けようとする場合に、大径の被係止体が、フック内方に残った前記開閉部材に抵触し、前記開閉部材がスムースに閉鎖動作等を行うことができない場合が生じうる。
【０００５】
本考案は前記の問題を解決するためになされたものであって、その課題は、フックの開口部を開閉する開閉部材をフック内方に向けて開口する場合に、前記開閉部材が、フック内の開口方向と対面する壁面に設けられた前記開閉部材を嵌合保持する開閉部材収納用保持溝を設け、前記開閉部材を前記保持溝にフック内方の壁内に嵌合収納することで、フック内部の空間を拡大させて、被係止体のスムースな出し入れを行うことができるようになすと供に、大径の被係止体をフックに引っ掛けて入れようとする場合であっても、前記開閉部材を閉鎖動作等をスムースに行うことができるようなフック及びこれを備える吊りボルトを提供することにある。
【０００６】
また、本考案の他の目的は、前記開閉部材の閉鎖状態において、前記開閉部材の閉鎖状態を確実に維持すると共に、閉鎖状態において記開閉部材が横ブレを起こさないように確実に保持することができる吊りボルトを提供することにある。
【課題を解決するための手段】
【０００７】
請求項１に記載のフックは、被係止体を出し入れする開口部と前記開口部を開閉する開閉部材を備るフックであって、前記開閉部材は、前記フック内方に押し込んで前記開口部を開放するよう、前記開閉部材の後端部を支点にして閉鎖方向に向けばね付勢を伴い回動自在に支持されると共に、前記フックの内面壁であって、前記開閉部材が、前記フック内方に押し込まれるときに対向する内壁面に前記開閉部材を嵌合保持する開閉部材収納用保持溝を設けることを特徴とする。
【０００８】
請求項２に記載のフックは、請求項１に記載のフックにおいて、前記開閉部材の先端部は、前記フック内方に向けて傾斜する傾傾斜面を備えると共に、前記開閉部材の先端部と当接する前記フック内壁においても、前記傾傾斜面と符合する傾傾斜面を備え、前記開口部を閉鎖した状態において、前記各傾傾斜面の当接により、前記ばね付勢による閉鎖方向に向けた動きを規制してなることを特徴とする。
【０００９】
請求項３に記載のフックは、請求項１又は２に記載のフックにおいて、前記開閉部材の先端部は、前方に向けて突設する突部を備えると共に、前記開閉部材の先端部と当接する前記フック内壁において、前記突部に嵌合する凹部を備え、これらの嵌合により、前記開口部を閉鎖した状態において、前記ばね付勢の閉鎖方向に向いた動きを規制してなると共に、閉鎖状態において前記開閉部材４が横ブレを起こさないように確実に嵌合保持してなることを特徴とする。
【００１０】
請求項４に記載の吊りボルトｈは、請求項１乃至４のいずれか一に記載のフックを備えてなることを特徴とする。
【００１１】
本考案に係るフック及びそれを備える吊りボルトによると、フックの開口部を開閉する開閉部材をフック内方に向けて回動させ前記開口部を開放する場合に、前記開閉部材が、前記フック内の対向する壁面に設けられた前記開閉部材を嵌合保持する保持溝に嵌合保持され、前記開閉部材を前記保持溝に壁内に嵌合収納することで、フック内部の空間を拡大することができるので、被係止体のスムースな出し入れを行うことができると供に、大径の被係止体をフックに引っ掛けて入れようとする場合であっても、前記開閉部材を閉鎖動作等をスムースに行うことができる。
【００１２】
前記開閉部材の先端部は、前記フック内方に向けて傾斜する傾傾斜面を備えると共に、前記開閉部材の先端部と当接する前記フック内壁においても、前記傾傾斜面と符合する傾傾斜面を備えているので、これらの当接により、前記開口部を閉鎖した状態において、前記ばね付勢の閉鎖方向に向いたさらなる動きを規制することができる。
【００１３】
また、前記開口部Ｓの閉鎖状態では、前記開閉部材の先端部は、前方に向けて突設する突部を備えると共に、前記開閉部材の先端部と当接する前記フック内壁において、前記突部に嵌合する凹部を備えているので、これらの嵌合により、前記開口部を閉鎖した状態において、前記ばね付勢の閉鎖方向に向いたさらなる動きを規制してなると共に、閉鎖状態において前記開閉部材４が横ブレを起こさないように確実に嵌合保持することができる。
【考案の効果】
【００１４】
本考案に係るフック及びそれを備える吊りボルトに依っては、フックの開口部を開閉する開閉部材をフック内方に向けて回動させ前記開口部を開放する場合に、前記開閉部材が、前記フック内の対向する壁面に設けられた前記開閉部材を嵌合保持する保持溝に嵌合保持され、前記開閉部材を前記保持溝に壁内に嵌合収納することで、フック内部の空間を拡大することができるので、被係止体のスムースな出し入れを行うことができると供に、大径の被係止体をフックに引っ掛けて入れようとする場合であっても、前記開閉部材を閉鎖動作等をスムースに行うことができる。
【００１５】
また、前記開閉部材の先端部は、前記フック内方に向けて傾斜する傾傾斜面を備えると共に、前記開閉部材の先端部と当接する前記フック内壁においても、前記傾傾斜面と符合する傾傾斜面を備えるように形成すると、これらの当接により、前記開口部を閉鎖した状態において、前記ばね付勢の閉鎖方向に向いた動きを規制することができる。
【００１６】
さらに、前記開口部Ｓの閉鎖状態において、前記開閉部材の先端部が、前方に向けて突設する突部を備えると共に、前記開閉部材の先端部と当接する前記フック内壁において、前記突部に嵌合する凹部を備えるように形成すると、これらの嵌合により、前記開口部を閉鎖した状態において、前記ばね付勢の閉鎖方向に向いた動きを規制してなると共に、閉鎖状態において前記開閉部材４が横ブレを起こさないように確実に嵌合保持することができる。
【図面の簡単な説明】
【００１７】
【図１】本考案に係るフックの分解斜視図である。
【図２】（ａ）は前記フックの右側面図であり、（ｂ）は（ａ）の縦中央断面図である。
【図３】（ａ）は前記フックの開閉部材の斜視図であり、（ｂ）は右側面図であり、（ｃ）は底面図である。
【図４】本考案に係るフックを備える吊りボルトの斜視図であり、（ａ）は開閉部材がばね付勢によって開口部を閉鎖した状態を示す斜視図であり、（ｂ）は開閉部材を下方に押し下げ、開口部を開放た状態を示す斜視図である。
【図５】（ａ）は前記吊りボルトの平面図であり、（ｂ）は右側面図であり、（ｃ）は背面図である。
【図６】本考案実施形態に係る吊りボルトの使用例を示す概略図である。（ａ）はチェーン柵を示した正面図であり、（ｂ）は図７（ａ）における左側要部の拡大図であり、（ｃ）は同じく右側要部の拡大図であり、（ｄ）はチェーンの長さ途中部を掛けた状態を示した要部拡大図である。
【考案を実施するための形態】
【００１８】
以下、本考案に係るフック及びそれを備える吊りボルトを図面に沿って説明する。
【００１９】
図１は本考案に係るフックの分解斜視図であり、図２（ａ）は、不フックの開閉部材を閉鎖した状態の斜視図であり、（ｂ）は開閉部材を開放した状態の斜視図である。図３（ａ）はフックの右側面図であり、（ｂ）は（ａ）の縦中央断面図である。図４（ａ）はフックの開閉部材の斜視図であり、（ｂ）は右側面図であり、（ｃ）は底面図である。また、図４は開閉部材を示し、（ａ）は開閉部材の斜視図であり、（ｂ）は開閉部材の側面図であり、（ｃ）は開閉部材の底面図である。
【００２０】
図１乃至図３において、図中２は、本考案に係る金属製のフックである。前記フック２は、背板部２１と、吊下げ部２２と、前掛け部２３とを備えた側面視略方形状に成型されており、上部に開口部Ｓを形成し、前記開口部Ｓを開閉する開閉部材４を回動自在に枢支させる。図１乃至図３においては、前記開口部Ｓが上方に位置するように配置しているが、前記開口部Ｓは、下方または側方に位置するように配置して使用しても良い。
【００２１】
前記背板部２１は、前記開閉部材４をフック内方に向けて押し下げて開放するときに対抗する位置に形成されており、前記背板部２１のフック内面には、前記前記開閉部材４を嵌合保持する開閉部材収納用保持溝２１ａを形成しており、前記開閉部材収納用保持溝２１ａは、図２（ｂ）に示すように、その幅は、前記開閉部材４の幅と同寸より僅かに大きく凹設されると共に、その長さは前記開閉部材４の先端部４３の角隅を残したそのほとんどを保持できる長さ及び深さにて凹設されているので、前記開閉部材４が押し下げて回動させたときに、前記開閉部材４のほとんどを受け入れて保持することができる。
【００２２】
そして、前記背板部２１の上端部には、左右の側板部分で二股に構成される上端部２４，２４を形成し、前記上端部２４，２４に、前記開閉部材４の後端部４２を突入させて、ピン５を介して回動自在に枢支させているのである。
【００２３】
前記後端部２４には、ピン５を圧入させるピン孔２ａ，２ａを開設しており、前記後端部２４の前端は前記背板部２１を僅かに前方に突出させて、前記開閉部材４の前記後端部４２を枢支させている。前記背板部２１の上部２４ａは、前記開閉部材４が閉鎖状態（図４においては水平姿勢）にあるときに、前記開閉部材４の前記後端部４１を隠すように突出形成しており、前記開閉部材４の後端部４１を含めた上端部２４の内部を隠蔽させて、閉鎖状態において、すっきりした外観形状を呈するよう形成している。
【００２４】
前記吊下げ部２２は、前記背板部２１の下端部から前記背板部２１と直交するように前方に長く突出して形成されている。さらに、前記吊下げ部２２は、後端部が背板部２１の横幅と同じ横幅があり、平面視及び底面視において前方に向かうに従って両側が先絞り方向に傾斜した平面視略二等辺三角形状を有する厚板形状を有する。このような形状と構造により、前記吊下げ部２２は、荷重強度を上げることができる。
【００２５】
前記前掛け部２３は、前記吊下げ部２２の前端部から上方に向け直交する角柱にて構成されている。前掛け部２３は、上端が上端部２４及び背板部２１の上端部と略同じ高さに形成している。
【００２６】
前記前掛け部２３の上端部には、前記開口部Ｓを閉鎖するよう、水平姿勢まで上方回動した前記開閉部材４の先端部４３を受け止める開閉部材受け部２５が、後方に短く突出している。
【００２７】
そして、前記開閉部材受け部２５には、前記開閉部材４の水平姿勢を超える上方回動を規制する傾斜面２５ａと、前記傾斜面２５ａに凹設される凹部２６とが形成され、前記開閉部材４の先端部４３に設けられた凸状部４４が前記凹部２６に突入保持されると共に、前記傾斜面２５ａと後述する前記開閉部材４の傾斜面４４ａとが当接することにより、前記開閉部材４の水平姿勢を超える上方回動を規制すると共に、前記開閉部材４が横振れしないように保持している。
【００２８】
図４に示す前記開閉部材４は、角棒形状を有する本体部４１の後端面から後方に上端部になる後端部４２，４２を突出させ、本体部４１の先端部４３を前記開閉部材受け部２５の傾斜面２５ａに対向して密接させることが可能な傾斜した傾斜面４４ａにて形成して、前記傾斜面４４ａの下部中央から前方に長さの短い凸状部４４を突出させた形状に形成されており、前記後端部４２，４２は、前記背板部２１の前記上端部２４内に収まる横方向に対向する２壁面で構成されている。前記後端部４２，４２には、ピン５を挿通させるピン挿通孔４ａ，４ａが開設されている。前記凸状部４３は、前記開閉部材受け部２５の凹部２６内に突入する大きさに形成される。
【００２９】
前記開閉部材４は、前記開閉部材の前記後端部４２がピン５を介してフック２の前記後端部２４の内側に上下回動自在に枢着されており前記ピン５に介装されるねじりコイルばね６（以下「ばね６」という。）の付勢力によって上方回動方向に付勢されている。前記ばね６は一端部６ａを背板部２１の内側に当接させ、前記ばね６の他端部６ｂを前記開閉部材４の下面に形成される溝４４内に収納され、前記開閉部材４を上方に付勢した状態に構成している。
【００３０】
以上の構成からなるので、本考案に係るフック２に依ると、前記フック２の開口部Ｓを開閉する開閉部材４をフック内方に向けて回動させ前記開口部Ｓを開放する場合に、前記開閉部材４が、前記フック内の対向する壁面に設けられた前記開閉部材４を嵌合保持する前記開閉部材収納用保持溝２１ａに嵌合保持され、前記開閉部材４のほとんどを前記開閉部材収納用保持溝２１ａに嵌合収納することで、前記フック内部の空間を拡大することができるので、被係止体のスムースな出し入れを行うことができると供に、大径の被係止体をフックに引っ掛けて入れようとする場合であっても、前記開閉部材４の閉鎖動作等をスムースに行うことができる。
【００３１】
また、前記開口部Ｓの閉鎖状態では、前記開閉部材４が付勢力を伴って上方に回動して閉鎖状態を維持させて、前記傾斜面２５ａと前記傾斜面４４ａとの当接により、前記開閉部材４の上方回動を規制すると共に、さらに、前記凸状部４３を前記凹部２６内に突入嵌合させることにより、前記開閉部材４の上方回動を確実に規制すると共に、閉鎖状態において前記開閉部材４の先端部４３が横ブレを起こさないように確実に嵌合保持することができる。
【００３２】
、図５（ａ）は前記フック２を備えるアイボルト（吊りボルト）の平面図であり、（ｂ）は同右側面図であり、（ｃ）は同背面図である。
【００３３】
図５に示すように、１は、前記フック２の前記背板部にボルト３を取前記り付けたアイボルトであり、前記フック２と同一の構成部分には同一符号を付して説明を省略する。前記アイボルト１は、前記フック２の前記背板部２１から後方に向けて、雄ねじ部３を突出するように一体的に形成される。
【００３４】
図６は、本考案に係るアイボルトの一使用例を示す概略図であり、図７は他の使用例を示す概略図である。
【００３５】
図６（ａ）は、建物の周囲の敷地や通路に人や自転車、自動車の侵入阻止のためのチェーン柵７０を示している。前記チェーン柵７０においては、スプリングフック、スプリング等の開閉型ジョイントを用いなくても、直接、チェーン７２の両端７２ａ，７２ａを２本の支柱７１，７１に装着した前記アイボルト１，１に掛けて懸架させている。図６（ｂ）と図６（ｃ）はその要部個所を拡大して示している。
【００３６】
本考案に係る アイボルト１を用いると、、前記フック２の開口部を開閉する開閉部材４をフック内方に向けて回動させ前記開口部Ｓを開放する場合に、前記開閉部材４が、前記フック内の対向する壁面に設けられた前記開閉部材を嵌合保持する前記開閉部材収納用保持溝２１ａに嵌合保持され、前記開閉部材４のほとんどを前記開閉部材収納用保持溝２１ａに嵌合収納することで、前記フック内部の空間を拡大することができるので、前記チェーン７２の両端のリング７２ａ，７２ａのスムースな出し入れを行うことができると供に、大径のリング７２ａ，７２ａをフック２に引っ掛けて入れようとする場合であっても、前記開閉部材４の閉鎖動作等をスムースに行うことができる。
【００３７】
なお、前記フック２にボルト３を凸設形成することにより、アイボルト１を形成したが、前記ボルト３を凸設形成する箇所は、本実施例の箇所に限定されず、任意の箇所に形成することができる。また、前記フック２には、前記ボルト３を形成する替わりにねじ溝（図示なし）を形成しても良い。前記ネジ溝も任意の箇所に形成すると良い。
【符号の説明】
【００３８】
１      アイボルト（吊りボルト）
２      フック
２ａ    ピン孔
２１    背板部
２１ａ  開閉部材収納用保持溝
２２    吊下げ部
２３    前掛け部
２４    後端部
２４ａ  上端部
２５    開閉部材受け部
２５ａ  傾斜面
２６    凹部
Ｓ      開口部
３      雄ねじ部
４      開閉部材
４１    本体部
４２    後端部
４２ａ  ピン挿通孔
４３    先端部
４４    凸状部
４４ａ  傾斜面
４５    溝
５      ピン
６      ばね
６ａ    一端部
６ｂ    他端部
７０      チェーン柵
７１      支柱
７２      チェーン
７２ａ    端末リング
【図１】
0003230008.tif 000003
【図２】
0003230008.tif 000004
【図３】
0003230008.tif 000005
【図４】
0003230008.tif 000006
【図５】
0003230008.tif 000007
【図６】
0003230008.tif 000008
【手続補正書】
【提出日】令和2年10月19日(2020.10.19)
【手続補正１】
【補正対象書類名】実用新案登録請求の範囲
【補正対象項目名】全文
【補正方法】変更
【補正の内容】
【実用新案登録請求の範囲】
【請求項１】
被係止体を出し入れする開口部と前記開口部を開閉する開閉部材を備るフックであって、
前記開閉部材は、前記フック内方に押し込んで前記開口部を開放するよう、前記開閉部材の後端部を支点にして閉鎖方向に向けばね付勢を伴い回動自在に支持されると共に、
前記フックの内面壁であって、前記開閉部材が、前記フック内方に押し込まれるときに対向する内壁面に前記開閉部材を嵌合保持する開閉部材収納用保持溝を設けることを特徴とするフック。
【請求項２】
前記開閉部材の先端部は、前記フック内方に向けて傾斜する傾傾斜面を備えると共に、前記開閉部材の先端部と当接する前記フック内壁においても、前記傾傾斜面と符合する傾傾斜面を備え、前記開口部を閉鎖した状態において、前記各傾傾斜面の当接により、前記ばね付勢による閉鎖方向に向けた動きを規制してなることを特徴とする請求項１に記載のフック。
【請求項３】
前記開閉部材の先端部は、前方に向けて突設する突部を備えると共に、前記開閉部材の先端部と当接する前記フック内壁において、前記突部に嵌合する凹部を備え、これらの嵌合により、前記開口部を閉鎖した状態において、前記ばね付勢の閉鎖方向に向いた動きを規制してなると共に、閉鎖状態において前記開閉部材が横ブレを起こさないように嵌合保持してなることを特徴とする請求項１又は２に記載のフック。
【請求項４】
請求項１乃至３のいずれか一に記載のフックを備えてなることを特徴とする吊りボルト。